(57)【特許請求の範囲】
【請求項１】
目地部を介して設けられた左右の躯体の一方の躯体の目地部側の床面に形成された支持凹部と、前記左右の躯体の他方の躯体の目地部側の床面に形成された支持ガイド凹部と、後端部が前記支持凹部に支持され、先端部が前記支持ガイド凹部に支持される多数個のバー部材を並列させた目地カバー体と、前記支持ガイド凹部の反目地部側あるいは該部位と当接する、前記目地カバー体の先端部のいずれか一方あるいは両方に形成した、前記目地部が狭くなると目地カバー体の先端部を前記他方の躯体の床面上にガイドするガイド部と、前記支持凹部部位に前記目地カバー体の後端部を該目地カバー体の先端部が上方へ回動可能に支持する支持具と、前記目地カバー体の先端部に取付けられた該目地カバー体の先端部の前記支持ガイド凹部を覆う後部が目地カバー体の先端部の多数個のバー部材間に挿入される端部が下方に位置する弧状の櫛部が形成された端部目地カバー本体、この端部目地カバー本体の先端部が上下方向に回動可能に取付ける取付け具とからなる端部目地カバーとを備えることを特徴とする床用目地装置。
【請求項２】
目地部を介して設けられた左右の躯体の他方の躯体の目地部側の床面に形成された支持ガイド凹部と、この支持ガイド凹部に先端部が支持され、後端部が前記左右の躯体の一方の躯体の目地部側の床躯体に先端部が上下方向に回動できる支持具で取付けられた多数個のバー部材を並列させた目地カバー体と、前記支持ガイド凹部の反目地部側あるいは該部位と当接する前記目地カバー体の先端部のいずれか一方あるいは両方に形成した、目地部が狭くなると目地カバー体の先端部を前記他方の躯体の床面上にガイドするガイド部と、前記目地カバー体の先端部に取付けられた該目地カバー体の先端部の前記支持ガイド凹部を覆う後部が目地カバー体の先端部の多数個のバー部材間に挿入される端部が下方に位置する弧状の櫛部が形成された端部目地カバー本体、この端部目地カバー本体の先端部が上下方向に回動可能に取付ける取付け具とからなる端部目地カバーとを備えることを特徴とする床用目地装置。
【請求項３】
目地部を介して設けられた左右の躯体の目地部側の両床面に形成された一対の支持ガイド凹部と、この一対の支持ガイド凹部に両端部が支持される多数個のバー部材を並列させた目地カバー体と、この目地カバー体の中央部を前記目地部の中央部に常時位置させるように両端部が前記目地部側の左右の躯体に取付けられた中央維持機構と、前記一対の支持ガイド凹部の反目地部側あるいは該部位と当接する前記目地カバー体の両端部のいずれか一方あるいは両方に形成した、前記目地部が狭くなると目地カバー体の両端部を左右の躯体の床面上にガイドする一対のガイド部と、前記目地カバー体の両端部に取付けられた端部目地カバー体の両端部の前記支持ガイド凹部を覆う後部が目地カバー体の両端部の多数個のバー部材間に挿入される端部が下方に位置する弧状の櫛部が形成された一対の端部目地カバー本体、この一対の端部目地カバー本体の先端部が上下方向に回動可能にそれぞれ取付ける取付け具とからなる一対の端部目地カバーとを備えることを特徴とする床用目地装置。
【発明の詳細な説明】
【０００１】
【発明の属する技術分野】
本発明は目地部を介して設けられた建物やよう壁等の躯体間を覆う床用目地装置に関する。
【０００２】
【従来の技術】
従来の床用目地装置は金属材を浅皿状に形成された目地プレート本体内にモルタル等を用いてタイルを固定した目地プレートや金属板を用いた目地プレートを用いている。
【０００３】
【発明が解決しようとする課題】
従来のタイルや金属板で形成した目地プレートを用いる床用目地装置は、重くて、容易に取付けることができないとともに、コスト高になるという欠点があった。
【０００４】
本発明は以上のような従来の欠点に鑑み、軽量で、十分な強度が得られ、容易に取付けることができるとともに、安全に使用することができる、安価な床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の躯体の一方の躯体の目地部側の床面に形成された支持凹部と、前記左右の躯体の他方の躯体の目地部側の床面に形成された支持ガイド凹部と、後端部が前記支持凹部に支持され、先端部が前記支持ガイド凹部に支持される多数個のバー部材を並列させた目地カバー体と、前記支持ガイド凹部の反目地部側あるいは該部位と当接する、前記目地カバー体の先端部のいずれか一方あるいは両方に形成した、前記目地部が狭くなると目地カバー体の先端部を前記他方の躯体の床面上にガイドするガイド部と、前記支持凹部部位に前記目地カバー体の後端部を該目地カバー体の先端部が上方へ回動可能に支持する支持具と、前記目地カバー体の先端部に取付けられた該目地カバー体の先端部の前記支持ガイド凹部を覆う後部が目地カバー体の先端部の多数個のバー部材間に挿入される端部が下方に位置する弧状の櫛部が形成された端部目地カバー本体、この端部目地カバー本体の先端部が上下方向に回動可能に取付ける取付け具とからなる端部目地カバーとで床用目地装置を構成している。
【０００７】
【発明の実施の形態】
以下、図面に示す実施の形態により、本発明を詳細に説明する。
【０００８】
図１ないし図６に示す本発明の第１の実施の形態において、１は目地部２を介して設けられた建物やよう壁等の左右の躯体３、３間の床目地部２を覆う本発明の床用目地装置で、この床用目地装置１は左右の躯体３、３の一方の躯体３の目地部側の床面３ａに形成された支持凹部４と、前記左右の躯体３、３の他方の躯体３の目地部側の床面３ａに形成された支持ガイド凹部５と、後端部が前記支持凹部４に支持され、先端部が前記支持ガイド凹部５に支持される多数個のバー部材６を並列させた目地カバー体７と、前記支持ガイド凹部５の反目地部側端部あるいは該部位と当接する前記目地カバー体７の先端部のいずれか一方あるいは両方、本発明の実施の形態では支持ガイド凹部５の反目地部側端部に形成した、前記目地部２が狭くなると目地カバー体７の先端部を前記他方の躯体３の床面３ａ上にガイドする傾斜面のガイド部８と、前記支持凹部４部位に前記目地カバー体７の後端部を、該目地カバー体７の先端部が上方へ回動可能に支持する支持具９と、前記目地カバー体７の先端部に取付けられた該目地カバー体７の先端部の前記支持ガイド凹部５を覆う端部が目地カバー体７の先端部の多数個のバー部材６間に挿入される端部が下方に位置する弧状の櫛部１０が形成された端部目地カバー本体１１、この端部目地カバー本体１１の先端部が上下方向に回動可能に取付ける取付け具１２とからなる端部目地カバー１３とで構成されている。
【０００９】
前記目地カバー体７は図３に示すようにコ字状のフレーム１４と、このコ字状のフレーム１４内に上端部が該フレーム１４の上端部と一致するように小さな間隔で並列固定された多数個のバー部材６と、前記フレーム１４の開口端部および該端部側の前記多数個のバー部材６の端部に該フレーム１４の上端部よりも下部に上端部が位置するように固定された支持バー１５とで構成されている。
【００１０】
前記支持具９は前記支持凹部４に固定された前記目地部２へ突出する支持片１６を有する支持金具１７と、この支持金具１７の支持片１６に形成された前記目地カバー体７の後端部の両側部にピン１８、１８によって枢支されたアイボルト状のボルト１９、１９が遊び状態で挿入されるボルト挿入孔２０、２０と、このボルト挿入孔２０、２０に挿入されたボルト１９、１９の先端部と螺合される該ボルト挿入孔２０、２０からの抜け脱を防止するナット２１、２１とで構成されている。
【００１１】
前記端部目地カバー１３の端部目地カバー本体１１は板状のカバー部２２と、このカバー部２２の後端部と一体形成された弧状の櫛部１０とで構成され、取付け具１２は前記目地カバー体７の支持バー１５の下部に回動可能に係止されるほぼＬ字状で、上面に取付け部２３が形成された取付け片２４と、この取付け片２４の取付け部２３を前記カバー部２２に固定するビス２５とで構成されている。
【００１２】
上記構成の床用目地装置１は、地震等によって目地部２が狭くなるように左右の躯体３、３が揺れ動いた場合には、図６に示すように目地カバー体７の先端部がガイド部８に沿って上方へスライド移動するとともに、端部目地カバー１３の端部目地カバー本体１１の先端部が床面３ａに当接した状態で取付け具１２部より回動して、段差や隙間が生じるのを防止して、安全に使用できる。
【００１３】
目地部２が広くなるように左右の躯体３、３が揺れ動いた場合には、図７に示すように目地カバー体７の先端部が支持ガイド凹部５内をスライド移動するとともに、端部目地カバー１３の端部目地カバー本体１１の先端部が床面３ａ上、ガイド部８や支持ガイド凹部５上をスライド移動して、大きな隙間が生じるのを防止する。
【００１４】
【発明の異なる実施の形態】
次に、図８ないし図１９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図８ないし図１０に示す本発明の第２の実施の形態において、前記本発明の第１の実施の形態と主に異なる点は、端部目地カバー本体１１の両端部に該端部目地カバー本体１１、目地カバー体７の先端部の両側面に枢支ピン２６、２６によって回動可能に支持する取付け具１２Ａ、１２Ａを用いるとともに、目地カバー体７の後端部を支持具としてのヒンジ部材２７によって一方の躯体３の床面３ａに固定した点で、このように構成した床用目地装置１Ａにしても、前記本発明の第１の実施の形態と同様な作用効果が得られる。
【００１６】
図１１ないし図１３に示す本発明の第３の実施の形態において、前記本発明の第２の実施の形態と主に異なる点は、一方の躯体３の目地部側の床面３ａに支持凹部を形成することなく、目地カバー体７の後端部を支持具としてのヒンジ部材２７を用いて一方の躯体３の床面３ａに支持させるとともに、目地カバー体７の先端部を傾斜面に形成したガイド部８Ａを形成した点で、このように構成した床用目地装置１Ｂにしても、前記本発明の第２の実施の形態と同様な作用効果が得られる。
【００１７】
図１４および図１５に示す本発明の第４の実施の形態において、前記本発明の第３の実施の形態と主に異なる点は、目地カバー体７の先端に傾斜面のガイド部８Ｂを形成するとともに、支持ガイド凹部５の反目地部側端部の上面を前記ガイド部８Ｂの上部よりも下部に位置してほぼ垂直状態となるように形成した点で、このように構成した床用目地装置１Ｃにしても、前記本発明の第３の実施の形態と同様な作用効果が得られる。
【００１８】
図１６ないし図１９に示す本発明の第５の実施の形態において、前記本発明の第１の実施の形態と主に異なる点は、左右の躯体３、３の目地部側の床面３ａ、３ａに支持ガイド凹部５、５を形成するとともに、両端部に端部目地カバー１３、１３を取付けた目地カバー体７Ａと、この目地カバー体７Ａの中央部を目地部２の中央部に常時位置させる両端部が左右の躯体３、３に取付けられた四角形状が２個形成されたパンタグラフ形状のリンクを用いた中央維持機構２８とを用い点で、このように構成した床用目地装置１Ｄにしても、前記本発明の第１の実施の形態と同様な作用効果が得られる。
【００１９】
【発明の効果】
以上の説明から明らかなように、本発明にあっては次に列挙する効果が得られる。
【００２０】
（１）目地部を介して設けられた左右の躯体の一方の躯体の目地部側の床面に形成された支持凹部と、前記左右の躯体の他方の躯体の目地部側の床面に形成された支持ガイド凹部と、後端部が前記支持凹部に支持され、先端部が前記支持ガイド凹部に支持される多数個のバー部材を並列させた目地カバー体と、前記支持ガイド凹部の反目地部側あるいは該部位と当接する、前記目地カバー体の先端部のいずれか一方あるいは両方に形成した、前記目地部が狭くなると目地カバー体の先端部を前記他方の躯体の床面上にガイドするガイド部と、前記支持凹部部位に前記目地カバー体の後端部を該目地カバー体の先端部が上方へ回動可能に支持する支持具と、前記目地カバー体の先端部に取付けられた該目地カバー体の先端部の前記支持ガイド凹部を覆う後部が目地カバー体の先端部の多数個のバー部材間に挿入される端部が下方に位置する弧状の櫛部が形成された端部目地カバー本体、この端部目地カバー本体の先端部が上下方向に回動可能に取付ける取付け具とからなる端部目地カバーとで構成されているので、地震等によって目地部が狭くなった場合に、目地カバー体の先端部が他方の躯体の床面上へスライド移動するが、端部目地カバーの先端部が床面に当接した状態で回動するので、該部位に段差が生じたり、隙間が生じるのを確実に防止でき、安全に使用できる。
【００２１】
（２）前記（１）によって、目地カバー体の先端部の多数個のバー部材間に弧状の櫛部を後端部に形成した端部目地カバーを用いているので、端部目地カバーの先端部が上下方向に回動しても、端部目地カバーと目地カバー体との間に隙間が生じるのを確実に防止でき、安全に使用することができる。
【００２２】
（３）前記（１）によって、多数個のバー部材を並列させた目地カバー体を用いているので、軽量で、十分な強度が得られ、容易に、安価に設置することができる。
【００２３】
（４）請求項２、３も前記（１）〜（３）と同様な効果が得られる。
【図面の簡単な説明】
【図１】本発明の第１の実施の形態の取付け状態の平面図。
【図２】図１の２−２線に沿う拡大断面図。
【図３】本発明の第１の実施の形態の目地カバー体の説明図。
【図４】本発明の第１の実施の形態の支持具の説明図。
【図５】本発明の第１の実施の形態の端部目地カバーの説明図。
【図６】本発明の第１の実施の形態の目地部が狭くなった場合の動作説明図。
【図７】本発明の第１の実施の形態の目地部が広くなった場合の動作説明図。
【図８】本発明の第２の実施の形態の取付け状態の平面図。
【図９】図８の９−９線に沿う拡大断面図。
【図１０】本発明の第２の実施の形態の端部目地カバーの説明図。
【図１１】本発明の第３の実施の形態の取付け状態の平面図。
【図１２】図１１の１２−１２線に沿う拡大断面図。
【図１３】本発明の第３の実施の形態の目地部が狭くなった場合の動作説明図。
【図１４】本発明の第４の実施の形態の取付け状態の平面図。
【図１５】図１４の１５−１５線に沿う拡大断面図。
【図１６】本発明の第５の実施の形態の取付け状態の平面図。
【図１７】図１６の１７−１７線に沿う拡大断面図。
【図１８】本発明の第５の実施の形態の中央維持機構の説明図。
【図１９】本発明の第５の実施の形態の目地部が狭くなった場合の動作説明図。
【符号の説明】
１、１Ａ、１Ｂ、１Ｃ、１Ｄ：床用目地装置、
２：目地部、            ３：躯体、
４：支持凹部、          ５：支持ガイド凹部、
６：バー部材、          ７、７Ａ：目地カバー体、
８、８Ａ、８Ｂ：ガイド部、
９：支持具、            １０：櫛部、
１１：端部目地カバー本体、
１２、１２Ａ：取付け具、１３：端部目地カバー、
１４：フレーム、        １５：支持バー、
１６：支持片、          １７：支持金具、
１８：ピン、            １９：ボルト、
２０：ボルト挿入孔、    ２１：ナット、
２２：カバー部、        ２３：取付け部、
２４：取付け片、        ２５：ビス、
２６：枢支ピン、        ２７：ヒンジ部材、
２８：中央維持機構。
【図１】
0003594906.tif 000002
【図２】
0003594906.tif 000003
【図３】
0003594906.tif 000004
【図４】
0003594906.tif 000005
【図５】
0003594906.tif 000006
【図６】
0003594906.tif 000007
【図７】
0003594906.tif 000008
【図８】
0003594906.tif 000009
【図９】
0003594906.tif 000010
【図１０】
0003594906.tif 000011
【図１１】
0003594906.tif 000012
【図１２】
0003594906.tif 000013
【図１３】
0003594906.tif 000014
【図１４】
0003594906.tif 000015
【図１５】
0003594906.tif 000016
【図１６】
0003594906.tif 000017
【図１７】
0003594906.tif 000018
【図１８】
0003594906.tif 000019
【図１９】
0003594906.tif 000020